(57)【要約】【課題】チャンネル切り替え待ち時間中に必要性の高い情報を提供してチャンネル切り替え待ち時間の有効利用を図ることが可能な映像出力装置を提供すること。【解決手段】映像出力装置は、選局チャンネルの映像信号をデコードする第１の信号処理手段と、選局チャンネルの映像信号をデコードする第２の信号処理手段と、第１の信号処理手段による第１のチャンネルのデコード映像出力中における第２のチャンネルのデコード映像出力への切り替え指示に基づき、第１の信号処理手段による第１のチャンネルのデコード映像出力を継続しつつ、第２の信号処理手段による第２のチャンネルの選局及び第２のチャンネルの映像信号のデコードを開始し、第２のチャンネルのデコード映像出力準備完了に伴い、第１のチャンネルのデコード映像出力から第２のチャンネルのデコード映像出力へ切り替える出力制御手段とを備えている。【選択図】      図１
2006254319.tif 000002
【特許請求の範囲】
【請求項１】
指定されたチャンネルを選局し、選局したチャンネルの映像信号をデコードする第１の信号処理手段と、
指定されたチャンネルを選局し、選局したチャンネルの映像信号をデコードする第２の信号処理手段と、
前記第１の信号処理手段による第１のチャンネルのデコード映像出力中における第２のチャンネルのデコード映像出力への切り替え指示に基づき、前記第１の信号処理手段による前記第１のチャンネルのデコード映像出力を継続しつつ、前記第２の信号処理手段による前記第２のチャンネルの選局及び前記第２のチャンネルの映像信号のデコードを開始し、前記第２の信号処理手段による前記第２のチャンネルのデコード映像出力準備完了に伴い、前記第１の信号処理手段による前記第１のチャンネルのデコード映像出力から前記第２の信号処理手段による前記第２のチャンネルのデコード映像出力へ切り替える出力制御手段と、
を備えたことを特徴とする映像出力装置。
【請求項２】
前記第２の信号処理手段は、チャンネルの選局及び映像信号のデコード開始からデコード映像の出力まで所定時間を必要とし、
前記出力制御手段は、前記切り替え指示に基づき、前記第１の信号処理手段によるデコード映像出力を継続しつつ、前記第２の信号処理手段による前記第２のチャンネルの映像信号のデコードを開始し、前記所定時間経過後に前記第１の信号処理手段による前記第１のチャンネルのデコード映像出力から前記第２の信号処理手段による前記第２のチャンネルのデコード映像出力へ切り換る、
ことを特徴とする請求項１に記載の映像出力装置。
【請求項３】
前記第１及び第２の信号処理手段は、各チャンネルのチャンネル情報をデコードし、
前記出力制御手段は、前記切り替え指示に基づき、前記第１の信号処理手段による前記第１のチャンネルのデコード映像出力から前記第２の信号処理手段による前記第２のチャンネルのデコード映像出力へ切り換る間に、前記第２のチャンネルのチャンネル情報を出力する、
ことを特徴とする請求項１に記載の映像出力装置。
【請求項４】
前記出力制御手段は、前記切り替え指示に基づき、前記第１の信号処理手段による前記第１のチャンネルのデコード映像出力から前記第２の信号処理手段による前記第２のチャンネルのデコード映像出力へ切り換る間に、前記第１のチャンネルのデコード映像をフェードアウトするとともに、替わりに前記第２のチャンネルのチャンネル情報をフェードインする、
ことを特徴とする請求項３に記載の映像出力装置。
【請求項５】
前記出力制御手段は、前記切り替え指示に基づき、前記第１の信号処理手段による前記第１のチャンネルのデコード映像出力から前記第２の信号処理手段による前記第２のチャンネルのデコード映像出力へ切り換る間に、前記第１のチャンネルのデコード映像をフェードアウトするとともに、替わりに前記第２のチャンネルのチャンネル情報をフェードインし、さらに前記第２のチャンネルのチャンネル情報をフェードアウトするとともに、替わりに前記第２のチャンネルのデコード映像をフェードインする、
ことを特徴とする請求項３に記載の映像出力装置。
【請求項６】
指定されたチャンネルを選局し選局したチャンネルの映像信号をデコードする第１の信号処理手段による第１のチャンネルのデコード映像出力中における第２のチャンネルのデコード映像出力への切り替え指示に基づき、前記第１の信号処理手段による前記第１のチャンネルのデコード映像出力を継続しつつ、指定されたチャンネルを選局し選局したチャンネルの映像信号をデコードする第２の信号処理手段による前記第２のチャンネルの選局及び前記第２のチャンネルの映像信号のデコードを開始し、
前記第２の信号処理手段による前記第２のチャンネルのデコード映像出力準備完了に伴い、前記第１の信号処理手段による前記第１のチャンネルのデコード映像出力から前記第２の信号処理手段による前記第２のチャンネルのデコード映像出力へ切り替える、
ことを特徴とする映像出力方法。
【請求項７】
前記第２の信号処理手段は、チャンネルの選局及び映像信号のデコード開始からデコード映像の出力まで所定時間を必要とし、
前記切り替え指示に基づき、前記第１の信号処理手段によるデコード映像出力を継続しつつ、前記第２の信号処理手段による前記第２のチャンネルの映像信号のデコードを開始し、前記所定時間経過後に前記第１の信号処理手段による前記第１のチャンネルのデコード映像出力から前記第２の信号処理手段による前記第２のチャンネルのデコード映像出力へ切り換る、
ことを特徴とする請求項６に記載の映像出力方法。
【請求項８】
前記第１及び第２の信号処理手段は、各チャンネルのチャンネル情報をデコードし、
前記切り替え指示に基づき、前記第１の信号処理手段による前記第１のチャンネルのデコード映像出力から前記第２の信号処理手段による前記第２のチャンネルのデコード映像出力へ切り換る間に、前記第２のチャンネルのチャンネル情報を出力する、
ことを特徴とする請求項６に記載の映像出力方法。
【請求項９】
前記切り替え指示に基づき、前記第１の信号処理手段による前記第１のチャンネルのデコード映像出力から前記第２の信号処理手段による前記第２のチャンネルのデコード映像出力へ切り換る間に、前記第１のチャンネルのデコード映像をフェードアウトするとともに、替わりに前記第２のチャンネルのチャンネル情報をフェードインする、
ことを特徴とする請求項８に記載の映像出力方法。
【請求項１０】
前記切り替え指示に基づき、前記第１の信号処理手段による前記第１のチャンネルのデコード映像出力から前記第２の信号処理手段による前記第２のチャンネルのデコード映像出力へ切り換る間に、前記第１のチャンネルのデコード映像をフェードアウトするとともに、替わりに前記第２のチャンネルのチャンネル情報をフェードインし、さらに前記第２のチャンネルのチャンネル情報をフェードアウトするとともに、替わりに前記第２のチャンネルのデコード映像をフェードインする、
ことを特徴とする請求項８に記載の映像出力方法。
【発明の詳細な説明】
【技術分野】
【０００１】
本発明は、選局されたチャンネルの映像信号を出力する映像出力装置及び映像出力方法に関する。
【背景技術】
【０００２】
近年のデジタル放送の開始に伴い、デジタル放送受信装置に関する様々な提案がなされている。例えば、デジタル放送のチャンネル切り替え待ち時間の不快感を解消する技術が提案されている（特許文献１参照）。この技術によると、チャンネル切り替え待ち時間中に、予めメモリ内に用意されたコンテンツを出力し、これにより待ち時間の不快感を解消するというものである。
【特許文献１】特開２００４−３３６４８１
【発明の開示】
【発明が解決しようとする課題】
【０００３】
しかしながら、単に、予めメモリ内に用意されたコンテンツを出力するだけでは、不快感は解消できるとしても、選択していたチャンネル（切り替え前のチャンネル）の映像を視聴することもできないし、またこれから視聴しようとするチャンネルに関する情報も得ることができない。
【０００４】
本発明の目的は、上記課題を解決するためになされたものであり、チャンネル切り替え待ち時間中に必要性の高い情報を提供してチャンネル切り替え待ち時間の有効利用を図ることが可能な映像出力装置及び映像出力方法を提供することにある。
【課題を解決するための手段】
【０００５】
この発明の映像出力装置及び映像出力方法は、以下のように構成されている。
【０００６】
（１）この発明は、指定されたチャンネルを選局し、選局したチャンネルの映像信号をデコードする第１の信号処理手段と、指定されたチャンネルを選局し、選局したチャンネルの映像信号をデコードする第２の信号処理手段と、前記第１の信号処理手段による第１のチャンネルのデコード映像出力中における第２のチャンネルのデコード映像出力への切り替え指示に基づき、前記第１の信号処理手段による前記第１のチャンネルのデコード映像出力を継続しつつ、前記第２の信号処理手段による前記第２のチャンネルの選局及び前記第２のチャンネルの映像信号のデコードを開始し、前記第２の信号処理手段による前記第２のチャンネルのデコード映像出力準備完了に伴い、前記第１の信号処理手段による前記第１のチャンネルのデコード映像出力から前記第２の信号処理手段による前記第２のチャンネルのデコード映像出力へ切り替える出力制御手段と、を備えたことを特徴とする映像出力装置である。
【０００７】
（２）この発明は、指定されたチャンネルを選局し選局したチャンネルの映像信号をデコードする第１の信号処理手段による第１のチャンネルのデコード映像出力中における第２のチャンネルのデコード映像出力への切り替え指示に基づき、前記第１の信号処理手段による前記第１のチャンネルのデコード映像出力を継続しつつ、指定されたチャンネルを選局し選局したチャンネルの映像信号をデコードする第２の信号処理手段による前記第２のチャンネルの選局及び前記第２のチャンネルの映像信号のデコードを開始し、前記第２の信号処理手段による前記第２のチャンネルのデコード映像出力準備完了に伴い、前記第１の信号処理手段による前記第１のチャンネルのデコード映像出力から前記第２の信号処理手段による前記第２のチャンネルのデコード映像出力へ切り替えることを特徴とする映像出力方法である。
【発明の効果】
【０００８】
本発明によれば、チャンネル切り替え待ち時間中に必要性の高い情報を提供してチャンネル切り替え待ち時間の有効利用を図ることが可能な映像出力装置及び映像出力方法を提供できる。
【発明を実施するための最良の形態】
【０００９】
以下、図面を参照し、本発明の実施形態について説明する。
【００１０】
図１は、この発明の第１例に係るデジタル放送受信装置（映像出力装置）の概略構成を示す図である。
【００１１】
図１に示すように、デジタル放送受信装置は、複数のチューナ及び複数のデコーダを備えている。例えば、デジタル放送受信装置は、第１のチューナ１１、第２のチューナ１２、第１のデコーダ２１、第２のデコーダ２２、選択部３０、制御部４０、操作入力部５０、表示部６０を備えている。
【００１２】
操作入力部５０は、ユーザからの操作入力（チャンネルの選択など）を受け付け、制御部４０へ通知する。操作入力部５０は、例えばリモートコントローラである。制御部４０は、操作入力部５０から通知される操作入力に基づき、各部の動作を制御する。
【００１３】
第１のチューナ１１は、制御部４０からの所定のチャンネルの選局指示（ユーザによる選局操作）に基づき、所定のチャンネル（第１の放送波Ｓ１１）を選局する。第１のデコーダ２１は、第１のチューナ１１により選局された所定のチャンネルの第１の圧縮映像Ｓ２１を伸張する。同様に、第２のチューナ１２は、制御部４０からの所定のチャンネルの選局指示（ユーザによる選局操作）に基づき、所定のチャンネル（第２の放送波Ｓ１２）を選局する。第２のデコーダ２２は、第２のチューナ１２により選局された所定のチャンネルの第２の圧縮映像Ｓ２２を伸張する。なお、本実施形態では、圧縮とエンコード、伸張とデコードを実質的に同一とする。
【００１４】
選択部３０は、制御部４０からの選択指示に基づき、第１のデコーダ２１により伸張された第１の伸張済映像Ｓ３１、及び第２のデコーダ２２によりデコードされた第２の伸張済映像Ｓ３２のうちの一方を選択し、選択映像Ｓ４０を表示部８に出力する。
【００１５】
例えば、第１の放送波Ｓ１１は、視聴者により現在視聴されている放送であり、主に表示部６０の主画面６１に出力表示される。これに対して、第２の放送波Ｓ１２は、視聴者により現在視聴されている放送（第１の放送波Ｓ１１）の裏で録画されている放送であったり、或いは図２に示すように表示部６０の主画面６１に出力される第１の放送波Ｓ１１に対して表示部６０の副画面６２に小さく出力される放送である。図２に示すように、主画面６１と副画面６２とを表示部６０上に表示することにより、視聴者は二放送を同時に視聴できる。
【００１６】
ここで、従来のデジタル放送受信装置によるチャンネル切り替え動作時の問題について説明する。まず、デジタル放送受信装置のチューナが第１の放送波を受信し、デジタル放送受信装置のデコーダがこの第１の放送波に基づく映像を伸張し、デジタル放送受信装置の表示部が伸張された映像を表示している初期状態を想定する。この初期状態において、視聴者がチャンネル切り替えの意思を持ち、コントローラ等を介してデジタル放送受信装置に対して第２の放送波への切り替えを指示する。デジタル放送受信装置のチューナは第１の放送波の受信を停止し第２の放送波の受信を開始し、続いてデジタル放送受信装置のデコーダは第２の放送波に基づく映像の伸張を開始する。デジタル放送受信装置のデコーダは、映像の伸張を開始した直後は表示部に対して映像を出力することはできない。ある程度の時間が経過すると（伸張済映像の出力準備が完了すると）、デジタル放送受信装置のデコーダは伸張済映像の出力を開始する。この映像の出力の開始により、チャンネルの切り替え処理が終了する。
【００１７】
上記したように、従来のデジタル放送受信装置は、チューナによって電波を選択し、デコーダによって圧縮映像を伸張し、表示部によって伸張済映像を画面に表示するまでには幾ばくかの時間を要する。従来のデジタル放送受信装置は、チャンネル切り替えの間（チャンネル切り替えの指示から切り替えたチャンネルの映像が表示されるまでの間）、出力可能な映像が無く、表示部は何も表示されない状態となっていた（真っ暗な画面となっていた）。
【００１８】
本発明は、このようなチャンネル切り替えにおける間隙を除去し、視聴者に対して自然な映像を提供することを目的とする。図３は、図１に示すデジタル放送受信装置によるチャンネル切り替え制御の一例を説明するための図である。まず、図１に示すデジタル放送受信装置のチューナ１１がチャンネルＣＨ１を受信し、デジタル放送受信装置の第１のデコーダ２１がこのチャンネルＣＨ１に基づく圧縮映像Ｓ２１を伸張し、デジタル放送受信装置の表示部６０が伸張済映像Ｓ３１を表示している初期状態を想定する。
【００１９】
さらに、時刻Ｔ１において、チャンネルＣＨ１からチャンネルＣＨ２へ切り替える切り替え動作の発生を想定する。つまり、時刻Ｔ１において、視聴者が操作入力部５０を介してチャンネル切り替え（チャンネルＣＨ２の選択）を指示すると、制御部４０は第２のチューナ１２に対してチャンネルＣＨ２の選局を指示し、また第２のデコーダ２２に対してデコードの開始を指示する。これにより、チャンネルＣＨ２の選局及び伸張処理が開始される。つまり、第２のチューナ１２は、チャンネルＣＨ２を選局し、また第２のデコーダ２２はチャンネルＣＨ２に基づく圧縮映像Ｓ２２のデコードを開始する。
【００２０】
この時刻Ｔ１の時点で、制御部４０は、第１のチューナ１１に対する選局の停止及び第１のデコーダ２１に対する圧縮映像Ｓ２１の伸張停止を指示することはなく、引き続き第１のチューナ１１はチャンネルＣＨ１を選局し、第１のデコーダ２１はチャンネルＣＨ１に基づく圧縮映像Ｓ２１を伸張する。
【００２１】
時刻Ｔ１から所定時間が経過した時刻Ｔ２のタイミングで、チャンネルＣＨ２の伸張済映像の出力準備が完了すると想定する。つまり、第２のチューナ１２による選局開始から第２のデコーダ２２による伸張済映像の出力開始までに所定時間（時刻Ｔ１から時刻Ｔ２の間の時間）が必要であると想定する。時刻Ｔ２のタイミングで（チャンネルＣＨ２の選局開始から所定時間経過後に）、選択部３０は、第１のデコーダ２１により出力されるチャンネルＣＨ１に基づく伸張済映像Ｓ３１の替わりに、第２のデコーダ２２により出力されるチャンネルＣＨ２に基づく伸張済映像Ｓ３２を選択する。これにより、時刻Ｔ２のタイミングで、表示部６０に表示される映像は、チャンネルＣＨ１の映像からチャンネルＣＨ２の映像へ切り替わる。
【００２２】
上記したように、チャンネルＣＨ２への切り替え指示を受けてから実際にチャンネルＣＨ２の映像出力準備が完了するまで切り替え処理の間（時刻Ｔ１から時刻Ｔ２の間）は、チャンネルＣＨ２の映像を出力することはできない。そのために、この切り替え処理の間、チャンネルＣＨ１の選局及び伸張処理を継続し、チャンネルＣＨ１の映像を出力する（必要性の高い情報を提供し続ける）。実際にチャンネルＣＨ２の映像出力準備が完了するタイミング（時刻Ｔ２のタイミング）で、チャンネルＣＨ１の映像からチャンネルＣＨ２の映像へ切り替える。これにより、デジタル放送の視聴においても、アナログ放送の視聴におけるような途切れることのないチャンネル切り替えを視聴者に提供することが可能になる。
【００２３】
図４は、この発明の第２例に係るデジタル放送受信装置（映像出力装置）の概略構成を示す図である。
【００２４】
図４に示すように、デジタル放送受信装置は、複数のチューナ及び複数のデコーダを備えている。例えば、デジタル放送受信装置は、第１のチューナ１１、第２のチューナ１２、第１のデコーダ２１、第２のデコーダ２２、選択部３０、制御部４０、操作入力部５０、表示部６０を備えている。さらに、選択部３０は、特殊効果生成器３１及び選択器３２を備えている。ここでは、図１に示すデジタル放送受信装置との違いを中心に説明する。
【００２５】
第１のチューナ１１によりチャンネルＣＨ１（第１の放送波Ｓ１１）が選局され、第１のデコーダ２１によりチャンネルＣＨ１の第１の圧縮映像Ｓ２１が伸張され、選択器３２により第１の伸張済映像Ｓ３１が選択され、表示部６０により第１の伸張済映像Ｓ３１が表示されている初期状態を想定する。
【００２６】
この初期状態において、チャンネルＣＨ１からチャンネルＣＨ２へ切り替える切り替え動作の発生を想定する。つまり、この初期状態において、視聴者が操作入力部５０を介してチャンネル切り替え（チャンネルＣＨ２の選択）を指示すると、制御部４０は第２のチューナ１２に対してチャンネルＣＨ２の選局を指示し、また第２のデコーダ２２に対してデコードの開始を指示する。これにより、チャンネルＣＨ２の選局及び伸張処理が開始される。つまり、第２のチューナ１２は、チャンネルＣＨ２を選局し、また第２のデコーダ２２はチャンネルＣＨ２に基づく圧縮映像Ｓ２２のデコードを開始する。
【００２７】
この時点で、制御部４０は、第１のチューナ１１に対する選局の停止及び第１のデコーダ２１に対する圧縮映像Ｓ２１の伸張停止を指示することはなく、引き続き第１のチューナ１１はチャンネルＣＨ１を選局し、第１のデコーダ２１はチャンネルＣＨ１に基づく圧縮映像Ｓ２１を伸張する。
【００２８】
特殊効果生成器３１は、第１のデコーダ２１により伸張された第１の伸張済映像Ｓ３１、第２のデコーダ２２によりデコードされた第２の伸張済映像Ｓ３２、及び特殊効果を合成する。選択器３２は、特殊効果生成器３１により合成された合成映像Ｓ３３を選択し、表示部６０へ出力する。特殊効果生成器３１により提供される特殊効果が全て出力し終わった段階で、選択器３２は伸張済映像Ｓ３２を選択し、表示部６０に出力する。この段階で、チャンネルＣＨ１からチャンネルＣＨ２への切り替えの処理が完了する。これにより、視聴者は、デジタル放送のチャンネル切り替えにおいて存在した「空白の時間」を感じることなく、より自然に放送を視聴することができる。
【００２９】
図５は、図４に示すデジタル放送受信装置による過渡的特殊効果の一例（クロスフェード効果）を説明するための図である。図４に示すデジタル放送受信装置は、予め各チャンネルのチャンネル情報を受信し記憶する機能を備えている。チャンネル情報は、チャンネル番号、現在放送中の番組情報等を含む。例えば、放送波にチャンネル情報が含まれている場合には、第１のチューナ１１、第２のチューナ１２、第１のデコーダ２１、及び第２のデコーダ２２により放送波からチャンネル情報を取得する。これ以外に、デジタル放送受信装置が、インターネットに接続し、インターネット経由でチャンネル情報を取得してもよい。取得されたチャンネル情報は、例えば特殊効果生成器３１により保持される。
【００３０】
第１のチューナ１１によりチャンネルＣＨ１（第１の放送波Ｓ１１）が選局され、第１のデコーダ２１によりチャンネルＣＨ１の第１の圧縮映像Ｓ２１が伸張され、選択器３２により第１の伸張済映像Ｓ３１が選択され、表示部６０により第１の伸張済映像Ｓ３１が表示されている初期状態（ＳＴ１）を想定する。
【００３１】
この初期状態において、チャンネルＣＨ１からチャンネルＣＨ２へ切り替える切り替え動作の発生を想定する。つまり、この初期状態において、視聴者が操作入力部５０を介してチャンネル切り替え（チャンネルＣＨ２の選択）を指示すると、制御部４０は第２のチューナ１２に対してチャンネルＣＨ２の選局を指示し、また第２のデコーダ２２に対してデコードの開始を指示し、さらに特殊効果生成器３１に対して特殊効果の生成を指示する。これにより、チャンネルＣＨ２の選局及び伸張処理が開始され、同時に特殊効果の生成が開始される。つまり、第２のチューナ１２は、チャンネルＣＨ２を選局し、また第２のデコーダ２２はチャンネルＣＨ２に基づく圧縮映像Ｓ２２のデコードを開始する。なお、所定時間後に、チャンネルＣＨ２の映像出力準備が完了する。
【００３２】
さらに、特殊効果の生成の指示を受けた特殊効果生成器３１は、チャンネルＣＨ２のチャンネル情報を読み出し、チャンネルＣＨ１の伸張済映像Ｓ３１を選択し、透明度１００％のチャンネルＣＨ２のチャンネル情報の映像と、透明度０％のチャンネルＣＨ１の伸張済映像Ｓ３１とを合成する。選択器３２は、特殊効果生成器３１により合成された映像の出力を開始する。つまり、表示部６０には、特殊効果生成器３１により合成された映像が表示される。特殊効果生成器３１は、チャンネルＣＨ２のチャンネル情報の映像の透明度を徐々に減少させつつ（透明度１００％→透明度５０％へ）、チャンネルＣＨ１の伸張済映像Ｓ３１の透明度を徐々に上昇させる（透明度０％→透明度５０％へ）（ＳＴ２）。さらに、特殊効果生成器３１は、チャンネルＣＨ２のチャンネル情報の映像の透明度を徐々に減少させつつ（透明度５０％→透明度０％へ）、チャンネルＣＨ１の伸張済映像Ｓ３１の透明度を徐々に上昇させる（透明度５０％→透明度１００％へ）（ＳＴ３）。つまり、表示部６０では、チャンネルＣＨ１の伸張済映像Ｓ３１がフェードアウトされつつ、替わりにチャンネルＣＨ２のチャンネル情報の映像がフェードインされる（ＳＴ１→ＳＴ３）。なお、チャンネルＣＨ２のチャンネル情報の映像が完全にフェードインされた時点で、チャンネルＣＨ２の映像出力準備は完了している（チャンネルＣＨ２への切り替え指示が出されてから所定時間が経過している）。
【００３３】
次に、特殊効果生成器３１は、チャンネルＣＨ２の伸張済映像Ｓ３２を選択し、透明度０％のチャンネルＣＨ２のチャンネル情報の映像と、透明度１００％のチャンネルＣＨ２の伸張済映像Ｓ３２とを合成する。特殊効果生成器３１は、チャンネルＣＨ２のチャンネル情報の映像の透明度を徐々に上昇させつつ（透明度０％→透明度５０％へ）、チャンネルＣＨ２の伸張済映像Ｓ３２の透明度を徐々に減少させる（透明度１００％→透明度５０％へ）（ＳＴ４）。さらに、特殊効果生成器３１は、チャンネルＣＨ２のチャンネル情報の映像の透明度を徐々に上昇させつつ（透明度５０％→透明度１００％へ）、チャンネルＣＨ２の伸張済映像Ｓ３１の透明度を徐々に減少させる（透明度５０％→透明度０％へ）（ＳＴ５）。つまり、表示部６０では、チャンネルＣＨ２のチャンネル情報の映像がフェードアウトされつつ、替わりにチャンネルＣＨ２の伸張済映像Ｓ３２がフェードインされる（ＳＴ３→ＳＴ５）。チャンネルＣＨ２のチャンネル情報の映像の透明度が１００％、且つチャンネルＣＨ２の伸張済映像Ｓ３１の透明度が０％になった時点で、特殊効果生成器３１による特殊効果処理は終了し、選択器３２は、第２のデコーダ２２からのチャンネルＣＨ２の伸張済映像Ｓ３１を選択する。
【００３４】
従来、次のチャンネルに切り替わるまで視聴者は何ら次のチャンネルの情報を得ることがなく、ただチャンネルが切り替わるのを待つしかなかった。これに対して、本発明により、次のチャンネルに切り替わるまでの間に、次のチャンネルに関する情報（必要性の高い情報）を得ることができ、視聴者の利便性を向上させることができる。
【００３５】
以上説明したように、本発明によれば、以下の作用効果を得ることができる。
【００３６】
（１）現在表示中のチャンネルを受信しているチューナと切り替え後のチャンネルを受信するチューナとを平行して動作させることにより、チャンネルの切り替え処理が実行されている間、画面に何も映らないという不自然な状態を解消することができる。
【００３７】
（２）チャンネル切り替えの間に、種々の過渡的な特殊効果を挿入することにより、より自然で豊かな番組視聴を視聴者に提供することができる。
【００３８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３９】
【図１】この発明の第１例に係るデジタル放送受信装置（映像出力装置）の概略構成を示す図である。
【図２】主画面と副画面の関係の一例を示す図である。
【図３】図１に示すデジタル放送受信装置によるチャンネル切り替え制御の一例を説明するための図である。
【図４】この発明の第２例に係るデジタル放送受信装置（映像出力装置）の概略構成を示す図である。
【図５】図４に示すデジタル放送受信装置による過渡的特殊効果の一例（クロスフェード効果）を説明するための図である。
【符号の説明】
【００４０】
１１…第１のチューナ、１２…第２のチューナ、２１…第１のデコーダ、２２…第２のデコーダ、３０…選択部、４０…制御部、５０…操作入力部、６０…表示部
【図１】
2006254319.tif 000003
【図２】
2006254319.tif 000004
【図３】
2006254319.tif 000005
【図４】
2006254319.tif 000006
【図５】
2006254319.tif 000007